(57)【特許請求の範囲】
【請求項１】
基板において基板に垂直な回転軸の回りを回動可能に支承され、一端をサムターンに、他端を錠箱内のデッドカムに夫々連係させると共に、中央部に、回転軸に関し対称的な第一及び第二係合軸を相互に平行な関係位置で設けた作動軸と、これら第一及び第二係合軸と重合する位置関係で、これらを左右に見込む方向に移動可能に案内され、一端が作動軸から離間する方向に付勢されると共に、施解錠信号発生時電磁アクチュエータを有するクラッチ機構を介して扉のノブやハンドルに連結されるスライダと、基板とほぼ平行な略扇形の板状体で、拡開する自由端を係合軸側に向け、扇の要に相当する基端をスライダの一端に回動自在に支承されると共に、自由端が第一係合軸から第二係合軸に向かう方向に付勢された駆動板と、基端が第２係合軸の回りを回動できるように支承され、駆動板の一方の側端縁と係合可能な起立部を突設した自由端を、ほぼスライダの移動方向に延在する第一逃げ溝に摺動可能に係合させると共に、自由端が第一係合軸に近接する方向に付勢された制御レバーとを設け、一方、駆動板が第２係合軸を押動して待機位置に戻るとき、他方の側端縁を第一係合軸と摺接させつつ待機位置に戻る駆動板の一方の側端縁との干渉を避けるため、制御レバーの自由端を作動軸から離間する方向に逃がす第二逃げ溝を第一逃げ溝に連設し、他方、上記制御レバーの付勢力を駆動板のそれよりも大きく設定したことを特徴とする電気錠の施解錠機構。
【発明の詳細な説明】
【０００１】
【発明の属する技術分野】
この発明は、施解錠信号発生時、ノブやハンドルを操作すると施錠と解錠を交互に行う型式の電気錠の施解錠機構（以下単に施解錠機構という）に係り、特に、その構造が簡単で作動が確実な施解錠機構に関する。
【０００２】
【従来の技術】
所謂電気錠と称される錠前の施解錠操作は電気錠の型式により異なるが、テンキー装置を操作して施解錠信号が発生したとき、例えばマイクロモータがデッドボルトを駆動する等、電磁アクチュエータが積極的に錠止機構を制御する型式の電気錠がある。
【０００３】
一方、この発明の施解錠機構を採用した電気錠のように、電磁アクチュエータは単にノブやハンドルと施解錠機構との連係を制御する、換言すればクラッチを制御する型式のものがあり、この型式の電気錠は電力の消費量が小さいのが特徴で近年多用されつつある。
【０００４】
この型式の電気錠として、例えば特開平９−２６４０８６号公報に記載されたものを挙げることができる。この電気錠の施解錠機構は、ハンドル操作に連動して上下動する１枚のリンクプレート（２７）により、夫々施錠及び解錠操作の一方に対応する軸（６３ａ）、（６３ｂ）の何れかを下方に押動する。
【０００５】
【発明が解決しようとする課題】
ところで、上記特開平９−２６４０８６号公報に記載された施解錠機構は、鼓形のリンクプレート（２７）を軸（６３ａ）、（６３ｂ）の間で揺動させつつ上下させる巧妙な設計ではあるが、リンクプレート（２７）の姿勢制御を重力による回転モーメントに頼っている点においてその作動の確実性につき不安が残る。
【０００６】
また、長期間の使用による軸受け部分の摩擦モーメントの増大も、その作動の確実性を低下させるものと容易に推定され、この点についても未だ改良の余地が残っている。
【０００７】
この発明は、上記した従来の施解錠機構の不都合を解消し、簡単な構造で作動が確実な施解錠機構を提供することを目的としている。
【０００８】
【課題を解決するための手段】
上記の目的を達成するため、この発明は、基板において基板に垂直な回転軸の回りを回動可能に支承され、一端をサムターンに、他端を錠箱内のデッドカムに夫々連係させると共に、中央部に、回転軸に関し対称的な第一及び第二係合軸を相互に平行な関係位置で設けた作動軸と、これら第一及び第二係合軸と重合する位置関係で、これらを左右に見込む方向に移動可能に案内され、一端が作動軸から離間する方向に付勢されると共に、施解錠信号発生時電磁アクチュエータを有するクラッチ機構を介して扉のノブやハンドルに連結されるスライダと、基板とほぼ平行な略扇形の板状体で、拡開する自由端を係合軸側に向け、扇の要に相当する基端をスライダの一端に回動自在に支承されると共に、自由端が第一係合軸から第二係合軸に向かう方向に付勢された駆動板と、基端が第２係合軸の回りを回動できるように支承され、駆動板の一方の側端縁と係合可能な起立部を突設した自由端を、ほぼスライダの移動方向に延在する第一逃げ溝に摺動可能に係合させると共に、自由端が第一係合軸に近接する方向に付勢された制御レバーとを設け、一方、駆動板が第２係合軸を押動して待機位置に戻るとき、他方の側端縁を第一係合軸と摺接させつつ待機位置に戻る駆動板の一方の側端縁との干渉を避けるため、制御レバーの自由端を作動軸から離間する方向に逃がす第二逃げ溝を第一逃げ溝に連設し、他方、上記制御レバーの付勢力を駆動板のそれよりも大きく設定したことを特徴とする。
【０００９】
【発明の実施の形態】
図１で全体を符号１００で示す施解錠機構は、室内側に装着される内側エスカチオンのほぼ中央に設けられている。この内側エスカチオンは、手前側を扉の内面自由側端縁部に接合させるようにして装着される。
【００１０】
施解錠機構１００は、電磁アクチュエータ１０１を有するクラッチ機構１０２、及びリトラクター１０３を介して扉のノブやハンドルに連係されており、施解錠信号発生時作動する電磁アクチュエータ１０１の作用により、リトラクター１０３の回動と共にクラッチ機構のクラッチ体１０４が後述のスライダ８の切欠１３と係合し、ハンドル等の回動と共にスライダが下降する。
【００１１】
上記スライダの下降と共に施解錠機構が作動を開始し、クラッチ体１０４が施解錠機構１００と係合しないときには、換言すれば図示しないテンキー装置を操作し、誤った暗証符号を入力して施解錠信号が発生しないときにはハンドル等は空回りするのみで施解錠機構が作動しない。
【００１２】
上記の作動は電気錠の全体の作動を概説したもので、本発明とは関係ないのでこれ以上詳細な説明は省略し、以下図面を参照してこの発明について説明する。
【００１３】
図２及び図３において符号１は基板を示し、この基板１は例えば板材を断面コ字形に折曲した部材で、その下端部には図示しないリトラクター１０３が装着され、その上部中央には作動軸２が基板１に垂直な回動軸の回りを回動可能に支承されている。
【００１４】
この作動軸２は、中央部に角穴を開口させ、フランジ部の形状が略ロケット形をした（図１０参照）支軸板３と、全体の形状が隅を丸めた菱形の枠板４とを有し、これら支軸板３と枠板４とは一対の第１及び第２係合軸５、６によって一体に結合されている。
【００１５】
図示の実施例では、基板１に垂直で、作動軸の回転軸に関し対称的に配置された第１及び第２係合軸５、６の両端を夫々支軸板３及び枠板４にかしめつけることにより、これらの部材を一体に結合している。
【００１６】
そして、図３に示すように、支軸板３の基板１側に形成された短筒部を基板１に開口した軸穴に嵌合させることにより、この枠体としての作動軸２は基板１に垂直な回動軸の回りを回動可能に支承される。
【００１７】
なお、支軸板３の一端に形成された一対の爪は図示しないスイッチを駆動して制御信号を得るものであり、これらはこの発明の必須の構成ではない。
【００１８】
また、枠板４の図３における上面中央には、例えば円柱体と円筒とを連設し、円筒部にスリワリを形成したカプラー７がかしめにより枠体に一体的に、かつ回動軸と同軸に結合されている。
【００１９】
そして、上記のように構成された作動軸２の図３における下端の角穴には、図示しないサムターンの内端が形状係合により連結され、一方、カプラー７は、扉面を貫通して錠箱内に挿入され、その錠止機構の図示しないデッドカムに連係される。
【００２０】
一方、図１及び３に示すように、上記作動軸２の少なくとも第１及び第２係合軸５、６と重合する位置関係で、スライダ８が上下方向に移動可能に支持案内されている。
【００２１】
後に述べるように、作動軸の第１及び第２係合軸５、６は概ね左右方向に展開、配置されているから、これらを上下方向から見ると左右に見込むことになる。
【００２２】
このスライダ８は、図１、図３乃至図５に示すように、板材を断面コ字形に折曲した部材で、そのコ字形の開口を基板１に向けた状態で装着され、上下方向に、すなわち第１及び第２係合軸５、６を左右に見込む方向に移動可能に案内されている。
【００２３】
また、スライダ８の図３における上面は、作動軸２との干渉を避けるために例えば大きく矩形に切り欠かれている。
【００２４】
更にまた、このスライダ８は、下端部に形成された第１ばね掛け片１１（図３参照）と、この第１ばね掛け片１１の下方において基板１を切り起こして形成された第２ばね掛け片１２（図４参照）との間に弾装された、圧縮コイルばねとしてのスライダばね９（図１参照）の弾力により、その一端（図１及び４で上端）が作動軸２から離間する方向の上方に付勢されている。
【００２５】
加えて、スライダ８の一方の側辺には、図４及び図５に示すように、施解錠信号発生時前記クラッチ体１０４（図１参照）と選択的に係合する切欠１３が形成されている。
【００２６】
一方、図４及び図５に示すように、スライダ８の上端の基板１に対向する側には、扇形の駆動板１４が装着されている。
【００２７】
この駆動板１４は、拡開する自由端を作動軸２側に向けた状態で、扇の要に相当するその基端をスライダ８の上端に回動自在に支承されている。
【００２８】
具体的には、図６に示すように、スライダ８の上端の凹陥部に開口した付番しないピン孔に、基板１側からスペーサー１５、駆動板１４を挟むようにして段付きの結合ピン１６を差込み、スライダ８の上面に突き出た結合ピンの段付き部をかしめつけて固定する。
【００２９】
そして、上記結合ピン１６のスライダ８の上面に突出した小径の先端部には、図４に示すように、図面を明瞭にするため図５においてはその記載を省略する捩りコイルばねとしての駆動板ばね１７が巻装されている。
【００３０】
そして、この駆動板ばね１７の弾力により、駆動板１４は図４において反時計方向、換言すればその自由端が第１係合軸５から第２係合軸６に向かう方向、に付勢されている。
【００３１】
なお、図４において駆動板１４が中立の角度位置にあるように描かれているのは図面を明瞭にするためであって、実際には駆動板１４と係合している駆動板ばね１７の端部がスライダ８の開口端縁と干渉する角度位置にまで振れる筈である。
【００３２】
他方、図２及び図３に戻って、第２係合軸６の基板１側の端部に小径の段部が形成されており、この段部に制御レバー１８の基端が回動自在に支承されている。
【００３３】
制御レバー１８の自由端の前記枠板４に対向する側には、駆動板の一方の側端縁、即ち図４で右側の側端縁と係合可能な位置にまで延伸する起立部１９が一体に突設されている。
【００３４】
また、制御レバー１８の自由端の基板１に対向する側には、短円柱に案内溝を形成した形状のガイドシュー２０が、例えばかしめにより一体に取り付けられている。
【００３５】
このガイドシュー２０に対応して、図２に示すように、作動軸２の上方における基板１の部分にほぼ上下方向に延在する第１逃げ溝２１と、この第１逃げ溝２１の下端において連設されたほぼ水平方向に延在する第２逃げ溝２２とが開口している。
【００３６】
なお、図２における第１逃げ溝２１の上方の大きな開口は内側エスカチオンの取り付け柱との干渉を避けるためのもので、この発明の必須の構成ではない。
【００３７】
図２及び図３においては、制御レバー１８の構造を明瞭に示すために、その自由端を上記逃げ溝２１、２２から外した状態で示しているが、実際にはそのガイドシュー２０を逃げ溝２１、２２の何れかに係合させている。
【００３８】
そして、このガイドシュー２０の基板１と制御レバー１８との間にある部分に、制御ばね２３の一端部が下方から弾接している（図２参照）。
【００３９】
図示の実施例における制御ばね２３は、図２に示すように、捩りコイルばねであって、そのコイル部を基板１に植設されたばね掛けピン２４に巻装し、その他端部を第２逃げ溝２２の開口端縁右端に係止させてある。
【００４０】
なお、この発明においては、制御レバー１８の付勢力を駆動板１４のそれよりも大きく設定してある。
【００４１】
次に、上記のように構成されたこの発明による施解錠機構の作動について、図７乃至図８を参照して説明する。なお、これらの図においては、図面を明瞭にするため、駆動板ばね及び制御ばねの図示を省略する。
【００４２】
図７はこの施解錠機構の例えば施錠状態を示すものとし、この施錠状態においては、第１係合軸５は時計盤面に換算して１０時半の角度位置に、第２係合軸６は４時半の角度位置にある。
【００４３】
また、制御レバー１８の自由端は第１及び第２逃げ溝２１、２２の交差部にあるものとする。
【００４４】
更にまた、図７の施錠状態では、制御レバー１８の自由端の起立部１９が駆動板１４の一方の側端縁に当接しており、上記したように制御レバー１８の付勢力の方が駆動板１４のそれよりも大きいから、駆動板１４は起立部１９に押動されて時計方向に変移しており、その自由端は第１係合軸５の方を向いている。
【００４５】
この状態で施解錠信号が発生し、クラッチを介してスライダがハンドル等に連結され、更にハンドル等を操作すると、スライダ８がスライダばね９の弾力に抗して下降する。
【００４６】
そして、図８に示すように、やがて駆動板１４の自由端縁が第１係合軸５と係合し、以降スライダ８の下降と共に作動軸２が解錠方向の半時計方向に回動する。同時に、制御レバー１８の自由端が第１逃げ溝２１に沿って上昇する。
【００４７】
スライダ８が一杯に下降すると、図９に示すように、第１係合軸５は時計盤面の７時半に角度位置に、第２係合軸６は１時半に角度位置に夫々致り、この状態では錠箱内のデッドカムが９０度回動されてデッドボルトが錠箱内に引込む。即ち解錠が完了する。
【００４８】
その後ハンドルから手を放せば、図１０に示すように、スライダ８はスライダばね９の弾力により上昇し、駆動板１４も作動軸２を解錠角度位置に残したままスライダと共に上昇するので、駆動板１４と第１係合軸５との係合が解ける。
【００４９】
その結果、自由になった駆動板１４は駆動板ばね１７の弾力により半時計方向に回動し、上昇した制御レバーの起立部１９に係止されて図１０の角度位置、即ち自由端が第２係合軸６を向く角度位置で停止する。
【００５０】
外出の為電気錠を施錠するには、先ずテンキー装置を操作して登録された暗証番号を入力し、施解錠信号を発生させた後解錠のときと同様にハンドルを操作する。
【００５１】
すると、図１１に示すように、スライダ８と共に下降した駆動板１４が第２係合軸６と当接し、これを下方に押動する結果、作動軸２は施錠方向である時計方向に回動する。
【００５２】
更に駆動板１４が下降すると、駆動板１４の側端縁と制御レバーの起立部１９との係合か解けるが、駆動板の自由端縁と第２係合軸６との係合によって生じる摩擦モーメントにより、駆動板１４が勝手に時計方向に回動することなく、駆動板１４は第２係合軸６との係合を安定に保ったまま下降する。
【００５３】
施錠が完了すると、図１２に示すように、第１係合軸５が時計盤面の１０時半の角度位置に、第２係合軸６が４時半の角度位置に夫々戻る。このとき、制御レバー１８の自由端も第１及び第２逃げ溝２１、２２（図２参照）の交差部に戻る。
【００５４】
施錠完了後ハンドルから手を放すと、スライダばねの弾力によりスライダが上昇することは前記した解錠のときと同様であるが、解錠の場合と異なるのは、図１２に示すように、駆動板１４の基部が第１係合軸５と制御レバーの起立部１９との間に挟まれてしまうことである。
【００５５】
駆動板１４は自由端に向かって拡開する形状であるから、この儘では駆動板１４は第１係合軸５と制御レバーの起立部１９に係止されて上昇することができない。
【００５６】
そこで、この発明では、第１逃げ溝２１（図１参照）の下端にほぼこれと直交する第２逃げ溝２２を連設し、図１３に示すように、作動軸２を施錠角度位置に残して上昇する駆動板１４の一方の側端縁と制御レバーの起立部１９との間に生じる楔作用を利用して、起立部１９を介して制御レバーの自由端部を第２逃げ溝２２に沿って駆動板１４から離間する方向に押動する。
【００５７】
このとき、駆動板１４はその他方の側端縁を第１係合軸５と摺接させつつ上昇する。
【００５８】
スライダ８が元の待機位置にまで上昇すると、駆動板１４と第１係合軸５との係合が解け、駆動板１４及び制御レバー１８が自由になる結果、付勢力が大きい制御レバー１８が駆動板１４をその付勢力に抗して時計方向に押動し、図７に示す角度位置に置く。
【００５９】
上記の作動サイクルは、施解錠信号の存在の下、ハンドルを操作する毎に繰り返される。
【００６０】
【発明の効果】
以上の説明から明らかなように、この発明による施解錠機構は、作動軸、駆動板を担持したスライダ、及び制御レバーと逃げ溝を構成要素としているので、構造が非常に簡単である。
【００６１】
また、駆動板の傾斜角度を変化させることにより施錠及び解錠方向を定めるようにしてあり、この傾斜角度の変化を一種のカム装置である制御レバーと逃げ溝との相互作用により作動サイクルに関連して一義的に決定できるように構成されているので、駆動板の姿勢制御に重力を使用せずにばね力を利用していることとも相俟って、その作動が確実である、等種々の効果を奏する。
【図面の簡単な説明】
【図１】この発明の一実施例による施解錠機構を備えた電気錠の主要部を示す正面図。
【図２】作動軸のみを担持した状態を示す基板の正面図。
【図３】図２のＩＩＩ−ＩＩＩ線による一部断面図。
【図４】スライダの正面図。
【図５】図４のＶ−Ｖ線によるスライダの一部断面側面図。
【図６】駆動板の基端部の拡大断面図。
【図７】この発明による施解錠機構の主要部を示す正面図で、施錠状態を示す。
【図８】この発明による施解錠機構の主要部を示す正面図で、解錠の途中の状態を示す。
【図９】この発明による施解錠機構の主要部を示す正面図で、解錠を完了した状態を示す。
【図１０】この発明による施解錠機構の主要部を示す正面図で、解錠を完了した後スライダが元の待機位置に戻った状態を示す。
【図１１】この発明による施解錠機構の主要部を示す正面図で、施錠の途中の状態を示す。
【図１２】この発明による施解錠機構の主要部を示す正面図で、施錠を完了した状態を示す。
【図１３】この発明による施解錠機構の主要部を示す正面図で、施錠を完了した後スライダが元の待機位置に戻りつつある状態を示す。
【符号の説明】
１  基板
２  作動軸
３  支軸板
４  枠板
５  第１係合軸
６  第２係合軸
７  カプラー
８  スライダ
９  スライダばね
１３  切欠
１４  駆動板
１７  駆動板ばね
１８  制御レバー
１９  起立部
２０  ガイドシュー
２１  第１逃げ溝
２２  第２逃げ溝
２３制御ばね
【図１】
0004102472.tif 000002
【図２】
0004102472.tif 000003
【図３】
0004102472.tif 000004
【図４】
0004102472.tif 000005
【図５】
0004102472.tif 000006
【図６】
0004102472.tif 000007
【図７】
0004102472.tif 000008
【図８】
0004102472.tif 000009
【図９】
0004102472.tif 000010
【図１０】
0004102472.tif 000011
【図１１】
0004102472.tif 000012
【図１２】
0004102472.tif 000013
【図１３】
0004102472.tif 000014